(57)【要約】【課題】足場板のフック部が係着される棒体部を有する仮設足場用の横架材において、フック部の棒体部上での滑動を規制して仮設足場板の位置ずれを抑制することができる仮設足場用補助横架材を提供する。【解決手段】並列する２本の支柱５，５のくさび受け６，６にそれぞれ楔着されるくさび部１２，１２を両側に備えかつ長方形状の仮設足場板２０の短辺側に突設された２つのフック部２１，２１が係着される棒体部１１を有する仮設足場用の横架材１０であって、前記棒体部１１には、前記フック部２１の前記棒体部１１上での滑動を規制して前記仮設足場板２０の長辺側に形成される隙間Ｓを所定間隔以下に規定するための少なくとも２つのストッパ部１５，１５が設けられている。【選択図】図２
0003201488.tif 000002
【実用新案登録請求の範囲】
【請求項１】
並列する２本の支柱のくさび受けにそれぞれ楔着されるくさび部を両側に備えかつ長方形状の仮設足場板の短辺側に突設された２つのフック部が係着される棒体部を有する仮設足場用の横架材であって、
前記棒体部には、前記フック部の前記棒体部上での滑動を規制して前記仮設足場板の長辺側に形成される隙間を所定間隔以下に規定するための少なくとも２つのストッパ部が設けられている
ことを特徴とする仮設足場用補助横架材。
【請求項２】
前記ストッパ部が前記棒体部に形成された突片部である請求項１に記載の仮設足場用補助横架材。
【請求項３】
前記両ストッパ部が、前記棒体部に係着される前記フック部相互間の外側位置に配置されている請求項１または２に記載の仮設足場用補助横架材。
【請求項４】
前記両ストッパ部が、前記棒体部に係着される前記フック部相互間の内側位置に配置されている請求項１または２に記載の仮設足場用補助横架材。
【請求項５】
前記両ストッパ部が、前記棒体部に係着される前記フック部の少なくとも一方を挟む位置に配置されている請求項１または２に仮設足場用補助横架材。
【考案の詳細な説明】
【技術分野】
【０００１】
本考案は、並列する２本の支柱間に架設されかつ仮設足場板の２つのフック部が係着される棒体部を有する仮設足場用の横架材に関し、特にフック部の棒体部上での滑動を規制する仮設足場用補助横架材に関する。
【背景技術】
【０００２】
一般に、建築物等の工事等に際しては、建築物の外周に仮設足場が設置される。この仮設足場は、複数本の支柱が所定間隔で配置され、各支柱間には長方形状の仮設足場板が架設されて複数階層の足場が形成される（例えば、特許文献１参照。）。このような仮設足場において、足場板は長方形状の短辺側に２つのフック部を有し、並列する２本の支柱間に取り付けられた横架材に２つのフック部を係着させて架設される。
【先行技術文献】
【特許文献】
【０００３】
【特許文献１】特開２０１０−２２２８８４号公報
【考案の概要】
【考案が解決しようとする課題】
【０００４】
従来の仮設足場では、足場板のフック部を横架材に係着させる場合、単に横架材の棒体部に対してフック部を上側から引っ掛けるに留まっている。そのため、足場板はその重量でフック部が横架材の棒体部を押圧することによって位置決めされるものの、十分に固定されている状態ではなかった。
【０００５】
このことから、例えば、作業者による足場板上の歩行が繰り返される等すると、振動等によって足場板のフック部が横架材の棒体部上を滑動（横滑り）してしまうことがある。仮設足場の構造上、足場板の長辺側には隙間が形成されるが、上記のように足場板のフック部が横滑りすると、足場板の位置がずれて一方に偏り、その反対側の隙間が広がってしまうおそれがあった。
【０００６】
本考案は、前記の点に鑑みなされたものであって、足場板のフック部が係着される棒体部を有する仮設足場用の横架材において、フック部の棒体部上での滑動を規制して仮設足場板の位置ずれを抑制することができる仮設足場用補助横架材を提供するものである。
【課題を解決するための手段】
【０００７】
すなわち、請求項１の考案は、並列する２本の支柱のくさび受けにそれぞれ楔着されるくさび部を両側に備えかつ長方形状の仮設足場板の短辺側に突設された２つのフック部が係着される棒体部を有する仮設足場用の横架材であって、前記棒体部には、前記フック部の前記棒体部上での滑動を規制して前記仮設足場板の長辺側に形成される隙間を所定間隔以下に規定するための少なくとも２つのストッパ部が設けられていることを特徴とする仮設足場用補助横架材に係る。
【０００８】
請求項２の考案は、前記ストッパ部が前記棒体部に形成された突片部である請求項１に記載の仮設足場用補助横架材に係る。
【０００９】
請求項３の考案は、前記両ストッパ部が、前記棒体部に係着される前記フック部相互間の外側位置に配置されている請求項１または２に記載の仮設足場用補助横架材に係る。
【００１０】
請求項４の考案は、前記両ストッパ部が、前記棒体部に係着される前記フック部相互間の内側位置に配置されている請求項１または２に記載の仮設足場用補助横架材に係る。
【００１１】
請求項５の考案は、前記両ストッパ部が、前記棒体部に係着される前記フック部の少なくとも一方を挟む位置に配置されている請求項１または２に仮設足場用補助横架材に係る。
【考案の効果】
【００１２】
請求項１の考案に係る仮設足場用補助横架材によると、並列する２本の支柱のくさび受けにそれぞれ楔着されるくさび部を両側に備えかつ長方形状の仮設足場板の短辺側に突設された２つのフック部が係着される棒体部を有する仮設足場用の横架材であって、前記棒体部には、前記フック部の前記棒体部上での滑動を規制して前記仮設足場板の長辺側に形成される隙間を所定間隔以下に規定するための少なくとも２つのストッパ部が設けられているため、極めて簡便な構成でフック部の棒体部上での滑動を規制して、仮設足場板の長辺側の隙間を常時所定間隔以下に規定することができ、その結果、仮設足場板の位置ずれが抑制されて安全性を向上させることができる。
【００１３】
請求項２の考案に係る仮設足場用補助横架材によると、請求項１の考案において、前記ストッパ部が前記棒体部に形成された突片部であるため、極めて簡便な手法で設けることが可能である。
【００１４】
請求項３の考案に係る仮設足場用補助横架材によると、請求項１または２の考案において、前記両ストッパ部が、前記棒体部に係着される前記フック部相互間の外側位置に配置されているため、フック部の滑動を確実に規制することができるとともに、フック部の係着位置の目安とすることができて、仮設足場板の位置決めが容易となる。
【００１５】
請求項４の考案に係る仮設足場用補助横架材によると、請求項１または２の考案において、前記両ストッパ部が、前記棒体部に係着される前記フック部相互間の内側位置に配置されているため、フック部の滑動を確実に規制することができるとともに、フック部の係着位置の目安とすることができて、仮設足場板の位置決めが容易となる。
【００１６】
請求項５の考案に係る仮設足場用補助横架材によると、請求項１または２の考案において、前記両ストッパ部が、前記棒体部に係着される前記フック部の少なくとも一方を挟む位置に配置されているため、フック部の滑動を確実に規制することができるとともに、フック部の係着位置の目安とすることができて、仮設足場板の位置決めが容易となる。
【図面の簡単な説明】
【００１７】
【図１】本考案の仮設足場用補助横架材が用いられた仮設足場の要部の斜視図である。
【図２】図１の仮設足場の上面図である。
【図３】図１の仮設足場の側面図である。
【図４】仮設足場用補助横架材の斜視図である。
【図５】第１実施形態に係る仮設足場用補助横架材のフック部の規制を模式的に表した要部上面図である。
【図６】第２実施形態に係る仮設足場用補助横架材のフック部の規制を模式的に表した要部上面図である。
【図７】第３実施形態に係る仮設足場用補助横架材のフック部の規制を模式的に表した要部上面図である。
【考案を実施するための形態】
【００１８】
図１〜図３は、本考案の仮設足場用補助横架材１０を用いた仮設足場１の要部を表している。仮設足場１では、並列する２本の支柱５，５が所定間隔で直列状に配置され、各２本の支柱５，５間に仮設足場用補助横架材１０が取り付けられる。そして、２つの横架材１０，１０間に仮設足場板２０が架設される。この仮設足場１において、仮設足場板２０は長方形状に形成され、各短辺側にそれぞれ２つのフック部２１，２１が突設されている。なお、図において、符号６は支柱５のくさび受けである。また、この仮設足場１では図示を省略しているが、直列状に配置された支柱５，５間に手摺材や筋交い等が適宜に設置される。
【００１９】
仮設足場用補助横架材１０には、図１〜図４に示すように、仮設足場板２０の２つのフック部２１，２１が係着される棒体部１１が備えられる。当該棒体部１１の両側に２本の支柱５，５の各くさび受け６，６にそれぞれ楔着されるくさび部１２，１２が備えられる。この補助横架材１０の棒体部２１には、２つのストッパ部１５，１５が設けられている。
【００２０】
ストッパ部１５は、図４〜図７に示すように、フック部２１，２１の棒体部１１上での滑動を規制して仮設足場板２０の長辺側に形成される隙間Ｓを所定間隔以下に規定するための部材である。ストッパ部１５は、補助横架材１０の棒体部１１に少なくとも２つ設けられる。この実施形態において、ストッパ部１５は、棒体部１１に形成された突片部である。突片部であるストッパ部１５は、棒体部１１に対して、溶接等の極めて簡便な手法で設けることが可能である。
【００２１】
ストッパ部１５の位置は、棒体部１１に係着されるフック部２１の位置、すなわちフック部２１の仮設足場板２０への取付位置や、仮設足場板２０の補助横架材１０への架設位置等を考慮して設定される。一般に、仮設足場板２０へのフック部２１の取付位置や、仮設足場板２０の架設位置等は所定の規格に従って設定されるため、ストッパ部１５は種々の規格に対応させて形成される。
【００２２】
また、ストッパ部１５の位置としては、棒体部１１に対するフック部２１の係着の妨げとなることがなく、フック部２１を過剰に滑動させない程度の範囲内でフック部２１の位置に対応して適宜に設定される。フック部２１の係着の妨げとなる位置とは、例えば、仮設足場板２０を通常位置（例えば支柱５，５間の中央）に架設する際にストッパ部１５とフック部２１とが接触するような位置である。このようにストッパ部１５とフック部２１とが近すぎると、フック部２１の係着位置がきわめて狭い範囲に限られてしまい、仮設足場１の円滑な組立作業ができなくなるおそれがある。フック部２１を過剰に滑動させない位置とは、ストッパ部１５によりフック部２１の滑動を規制した際に後述の隙間Ｓ（図２参照）が所定間隔より広くなることがない位置である。通常位置におけるストッパ部１５とフック部２１との具体的な間隔は前記のように種々の規格に対応して設定され、概ね２５〜４０ｍｍ程度とされる。
【００２３】
仮設足場板２０の長辺側の隙間Ｓは、横架材１０が取り付けられる２本の支柱５，５の間隔と、仮設足場板２０の幅等に応じて形成されるものであり、図２，３に示すように、支柱５の内法と仮設足場板２０の長辺部分との間隔に相当する。通常、支柱５，５の間隔や仮設足場板２０のサイズ等は、所定の規格に基づいて設定される。例えば、支柱５，５の間隔が９００ｍｍの場合は幅４００ｍｍの仮設足場板２０が２枚設置され、支柱５，５の間隔が６００ｍｍの場合は幅４００ｍｍの仮設足場板２０が１枚設置され、支柱５，５の間隔が４００ｍｍの場合は幅２５０ｍｍの仮設足場板２０が１枚設置される等である。
【００２４】
上のように、仮設足場１の構造上、隙間Ｓの形成は不可避であるが、安全性の観点から隙間Ｓを極力小さくすることが求められている。実施形態における隙間Ｓの間隔は、１２０ｍｍ以下である。本実施形態の仮設足場用補助横架材１０では、ストッパ部１５によってフック部２１，２１の棒体部１１上での滑動は規制され、隙間Ｓは常時１２０ｍｍ以下に規定される。
【００２５】
ここで、図５〜図７を用いて、補助横架材１０（１０Ａ，１０Ｂ，１０Ｃ）の棒体部１１に形成されるストッパ部１５，１５の配置のバリエーションとともに、フック部２１ａ，２１ｂの滑動を規制する構成についてより具体的に説明する。なお、以下の各実施形態において、支柱５ａ，５ｂ間の距離は６００ｍｍ（内法間距離は５５４ｍｍ）、補助横架材１０の長さは５５４ｍｍ、ストッパ部１５の厚みは６ｍｍ、ストッパ部１５の高さは１０ｍｍ、ストッパ部１５の幅は２５ｍｍ、仮設足場板２０の幅（短辺の長さ）は４００ｍｍ、フック部２１ａ，２１ｂの取り付け位置は仮設足場板２０の長辺側から内側へ２０ｍｍとする。
【００２６】
図５に示す第１実施形態に係る補助横架材１０Ａにあっては、両ストッパ部１５ａ１，１５ａ２が、棒体部１１に係着されるフック部２１ａ，２１ｂ相互間の外側位置に配置されている例である。図５（ａ）に示す通常位置では、仮設足場板２０が支柱５ａ，５ｂ間の中央位置に配置され、両方の長辺側の隙間Ｓ０，Ｓ０が略等しい間隔（Ｓ０＝７７ｍｍ）とされる。また、一側のストッパ部１５ａ１は、一側のフック部２１ａと一側の支柱５ａとの間で一側フック部２１ａに近接されており、補助横架材１０Ａの端部からの距離が６４ｍｍ、一側フック部２１ａとの間隔が２７ｍｍである。一方他側のストッパ部１５ａ２は、他側のフック部２１ｂと他側の支柱５ｂとの間で他側フック部２１ｂに近接されており、補助横架材１０Ａの端部からの距離が６４ｍｍ、他側フック部２１ｂとの間隔が２７ｍｍである。
【００２７】
図５（ｂ）に示すように、フック部２１ａ，２１ｂが棒体部１１上を一側支柱５ａ方向へ滑動した場合、棒体部１１上を滑動した一側フック部２１ａが一側ストッパ部１５ａ１と接触することによって、一側支柱５ａ方向への滑動が規制される。この時、仮設足場板２０は一側支柱５ａ寄りの偏った位置へずれた状態となり、一側支柱５ａ側の隙間Ｓ１は通常位置の隙間Ｓ０（７７ｍｍ）より狭くなる（Ｓ１＝５０ｍｍ）。一方、他側支柱５ｂ側の隙間Ｓ２は、通常位置の隙間Ｓ０（７７ｍｍ）より広くなる（Ｓ２＝１０４ｍｍ）が、一側フック部２１ａの滑動が規制されたことにより、所定間隔（１２０ｍｍ）より広くなることがない。
【００２８】
図５（ｃ）に示すように、フック部２１ａ，２１ｂが棒体部１１上を他側支柱５ｂ方向へ滑動した場合、棒体部１１上を滑動した他側フック部２１ｂが他側ストッパ部１５ａ２と接触することによって、他側支柱５ｂ方向への滑動が規制される。この時、仮設足場板２０は他側支柱５ｂ寄りの偏った位置へずれた状態となり、他側支柱５ｂ側の隙間Ｓ４は通常位置の隙間Ｓ０（７７ｍｍ）より狭くなる（Ｓ４＝５０ｍｍ）。一方、一側支柱５ａ側の隙間Ｓ３は、通常位置の隙間Ｓ０（７７ｍｍ）より広くなる（Ｓ３＝１０４ｍｍ）が、他側フック部２１ｂの滑動が規制されたことにより、所定間隔（１２０ｍｍ）より広くなることがない。
【００２９】
図６に示す第２実施形態に係る補助横架材１０Ｂにあっては、両ストッパ部１５ｂ１，１５ｂ２が、棒体部１１に係着されるフック部２１ａ，２１ｂ相互間の内側位置に配置されている例である。図６（ａ）は仮設足場板２０の通常位置（支柱５ａ，５ｂ間の中央位置）であり、両方の長辺側の隙間Ｓ０，Ｓ０が略等しい間隔（Ｓ０＝７７ｍｍ）とされる。また、一側ストッパ部１５ｂ１と一側支柱５ａとの間に一側フック２１ａが係着されて一側ストッパ部１５ｂ１と近接されており、一側ストッパ部１５ｂ１の補助横架材１０Ｂの端部からの距離が１３４ｍｍ、一側フック部２１ａとの間隔が２７ｍｍである。一方、他側ストッパ部１５ｂ２と他側支柱５ｂとの間に他側フック２１ｂが係着されて他側ストッパ部１５ｂ２と近接されており、他側ストッパ部１５ｂ２の補助横架材１０Ｂの端部からの距離が１３４ｍｍ、他側フック部２１ｂとの間隔が２７ｍｍである。
【００３０】
図６（ｂ）に示すように、フック部２１ａ，２１ｂが棒体部１１上を一側支柱５ａ方向へ滑動した場合、棒体部１１上を滑動した他側フック部２１ｂが他側ストッパ部１５ｂ２と接触することによって、一側支柱５ａ方向への滑動が規制される。この時、仮設足場板２０は一側支柱５ａ寄りの偏った位置へずれた状態となり、一側支柱５ａ側の隙間Ｓ１は通常位置の隙間Ｓ０（７７ｍｍ）より狭くなる（Ｓ１＝５０ｍｍ）。一方、他側支柱５ｂ側の隙間Ｓ２は、通常位置の隙間Ｓ０（７７ｍｍ）より広くなる（Ｓ２＝１０４ｍｍ）が、他側フック部２１ｂの滑動が規制されたことにより、所定間隔（１２０ｍｍ）より広くなることがない。
【００３１】
図６（ｃ）に示すように、フック部２１ａ，２１ｂが棒体部１１上を他側支柱５ｂ方向へ滑動した場合、棒体部１１上を滑動した一側フック部２１ａが一側ストッパ部１５ａ１と接触することによって、他側支柱５ｂ方向への滑動が規制される。この時、仮設足場板２０は他側支柱５ｂ寄りの偏った位置へずれた状態となり、他側支柱５ｂ側の隙間Ｓ４は通常位置の隙間Ｓ０（７７ｍｍ）より狭くなる（Ｓ４＝５０ｍｍ）。一方、一側支柱５ａ側の隙間Ｓ３は、通常位置の隙間Ｓ０（７７ｍｍ）より広くなる（Ｓ３＝１０４ｍｍ）が、一側フック部２１ａの滑動が規制されたことにより、所定間隔（１２０ｍｍ）より広くなることがない。
【００３２】
図７に示す第３実施形態に係る補助横架材１０Ｃにあっては、両ストッパ部１５ｃ１，１５ｃ２が、棒体部１１に係着されるフック部２１の少なくとも一方を挟む位置に配置されている例である。図７（ａ）は仮設足場板２０の通常位置（支柱５ａ，５ｂ間の中央位置）であり、両方の長辺側の隙間Ｓ０，Ｓ０が略等しい間隔（Ｓ０＝７７ｍｍ）とされる。また、一側ストッパ部１５ｃ１は一側フック部２１ａと一側支柱５ａとの間で一側フック部２１ａに近接されており、他側ストッパ部１５ｃ２は一側フック部２１ａと他側フック部２１ｂとの間で一側フック部２１ａに近接されている。一側ストッパ部１５ｃ１の補助横架材１０Ｃの端部からの距離が６４ｍｍ、一側フック部２１ａとの間隔が２７ｍｍであり、他側ストッパ部１５ｃ２の補助横架材１０Ｃの端部からの距離が１３４ｍｍ、一側フック部２１ａとの間隔が２７ｍｍである。
【００３３】
図７（ｂ）に示すように、フック部２１ａ，２１ｂが棒体部１１上を一側支柱５ａ方向へ滑動した場合、棒体部１１上を滑動した一側フック部２１ａが一側ストッパ部１５ｃ１と接触することによって、一側支柱５ａ方向への滑動が規制される。この時、仮設足場板２０は一側支柱５ａ寄りの偏った位置へずれた状態となり、一側支柱５ａ側の隙間Ｓ１は通常位置の隙間Ｓ０（７７ｍｍ）より狭くなる（Ｓ１＝５０ｍｍ）。一方、他側支柱５ｂ側の隙間Ｓ２は、通常位置の隙間Ｓ０（７７ｍｍ）より広くなる（Ｓ２＝１０４ｍｍ）が、一側フック部２１ａの滑動が規制されたことにより、所定間隔（１２０ｍｍ）より広くなることがない。
【００３４】
図７（ｃ）に示すように、フック部２１ａ，２１ｂが棒体部１１上を他側支柱５ｂ方向へ滑動した場合、棒体部１１上を滑動した一側フック部２１ａが他側ストッパ部１５ｃ２と接触することによって、他側支柱５ｂ方向への滑動が規制される。この時、仮設足場板２０は他側支柱５ｂ寄りの偏った位置へずれた状態となり、他側支柱５ｂ側の隙間Ｓ４は通常位置の隙間Ｓ０（７７ｍｍ）より狭くなる（Ｓ４＝５０ｍｍ）。一方、一側支柱５ａ側の隙間Ｓ３は、通常位置の隙間Ｓ０（７７ｍｍ）より広くなる（Ｓ３＝１０４ｍｍ）が、一側フック部２１ａの滑動が規制されたことにより、所定間隔（１２０ｍｍ）より広くなることがない。
【００３５】
以上図示し説明したように、各実施形態の補助横架材１０Ａ，１０Ｂ，１０Ｃでは、フック部（２１ａ，２１ｂ）の滑動方向にストッパ部１５を近接配置することにより、フック部（２１ａ，２１ｂ）の滑動時にその滑動方向側でストッパ部（１５，１５）と接触させてフック部（２１ａ，２１ｂ）の滑動を確実に規制することができる。これにより、仮設足場板２０の長辺側に形成される隙間Ｓが常時所定間隔以下に規定されるため、仮設足場板２０の位置ずれは容易に抑制される。
【００３６】
また、フック部２１，２１の係着時には棒体部１１上でストッパ部１５，１５と近接することから、仮設足場板２０の設置（架設）に際してストッパ部１５，１５はフック部２１，２１の係着位置の目安となり得る。そのため、仮設足場板２０の位置決めが容易となって、作業性が向上する。
【００３７】
なお、本考案の仮設足場用補助横架材は、前述の実施例のみに限定されるものではなく、考案の趣旨を逸脱しない範囲において構成の一部を適宜に変更して実施することができる。例えば、第３実施形態では両ストッパ部が一側フック部を挟む位置に配置されているが、他側フック部を挟む位置に配置してもよい。
【００３８】
また、２つのフック部に対し、それぞれ２つのストッパ部を挟む位置に配置する等、２以上のストッパ部を設けることによって、より確実にフック部の滑動を規制することができる。
【産業上の利用可能性】
【００３９】
以上のとおり、本考案の仮設足場用補助横架材は、棒体部上のフック部の滑動を極めて簡便な構成によって規制することができるため、仮設足場板の位置ずれを容易に抑制することができる。従って、安全性に優れた仮設足場の設置が可能となる。
【符号の説明】
【００４０】
１      仮設足場
５      支柱
６      くさび受け
１０    仮設足場用補助横架材
１１    棒体部
１２    くさび部
１５    ストッパ部
２０    仮設足場板
２１    フック部
Ｓ      隙間
【図１】
0003201488.tif 000003
【図２】
0003201488.tif 000004
【図３】
0003201488.tif 000005
【図４】
0003201488.tif 000006
【図５】
0003201488.tif 000007
【図６】
0003201488.tif 000008
【図７】
0003201488.tif 000009